(57)【要約】【課題】機器本体の外装を３つ以上の外装部材で形成する場合に、３つ以上の外装部材の組み付け作業の容易化を図るとともに、３つ以上の外装部材の合わせ部のシール性能を高める仕組みを提供する。【解決手段】電子機器は、シール部３０４ａを有する第１の外装部材３０４と、シール部３０５ａを有するとともに、第１の外装部材３０４のシール部３０４ａが当接する当接面３０５ｃ２を有する第２の外装部材３０５と、第１の外装部材３０４のシール部３０４ａが当接する当接面３００ａ２を有するとともに、第２の外装部材３０５のシール部３０５ａが当接する当接面３００ｂ２を有する第３の外装部材３００とを備える。外装部材３０４、３０５、３００の合わせ部において、シール部３０４ａとシール部３０５ａとの間には、隙間が形成され、第２の外装部材３０５と第３の外装部材３００との間には、前記隙間を密閉する凹凸嵌合部３００ａ３，３０５ａ３が設けられる。【選択図】図６
2015082073.tif 000002
【特許請求の範囲】
【請求項１】
機器本体の外装を３つ以上の外装部材で形成する電子機器であって、
第１のシール部を有する第１の外装部材と、
第２のシール部を有するとともに、前記第１の外装部材の前記第１のシール部が当接する第１の当接面を有する第２の外装部材と、
前記第１の外装部材の前記第１のシール部が当接する第２の当接面を有するとともに、前記第２の外装部材の前記第２のシール部が当接する第３の当接面を有する第３の外装部材と、を備え、
前記第１の外装部材、前記第２の外装部材、及び前記第３の外装部材の合わせ部において、前記第１の外装部材の前記第１のシール部と前記第２の外装部材の前記第２のシール部との間には、隙間が形成され、
前記第２の外装部材と前記第３の外装部材との間には、前記隙間を密閉する凹凸嵌合部が設けられることを特徴とする電子機器。
【請求項２】
前記第２の当接面は、前記第１のシール部が押圧される方向に対して、４５°の角度をなすように形成されることを特徴とする請求項１に記載の電子機器。
【請求項３】
前記第１のシール部及び前記第２のシール部材は、弾性を有するエラストマー又はシリコンゴムで形成されることを特徴とする請求項１又は２に記載の電子機器。
【発明の詳細な説明】
【技術分野】
【０００１】
本発明は、機器本体の外装が３つ以上の外装部材で形成される例えばデジタルカメラやデジタルビデオカメラ等の電子機器に関する。
【背景技術】
【０００２】
デジタルカメラ等の電子機器では、機器本体の外装を複数の外装部材で形成し、複数の外装部材の間にシール部材を挟み込んで、シール部材を圧縮変形させる技術が開示されている（特許文献１）。
【０００３】
しかし、機器本体の外装を３つ以上の外装部材で形成する場合、シール部材を分割する必要があるため、分割されたシール部材の端面間に隙間ができないように３つ以上の外装部材を組み付ける作業に熟練を要する。このため、作業者の熟練度のばらつきによりシール性能にばらつきが発生する問題がある。
【０００４】
そこで、弾性変形可能な突条部を有する第１の外装部材と、突条部の外周面ないし内周面と当接可能な当接面を有する第２の外装部材とを備える電子機器が提案されている（特許文献２）。この提案では、第１の外装部材と第２の外装部材とが結合される際に、突条部が当接面に押圧されることで、突条部が弾性変形して第１の外装部材と第２の外装部材との間がシールされる。
【先行技術文献】
【特許文献】
【０００５】
【特許文献１】特開２００５−１７３７８号公報
【特許文献２】特開２０００−２２１５７３号公報
【発明の概要】
【発明が解決しようとする課題】
【０００６】
上記特許文献２では、分割されたシール部材を組み付けなくてすむため、組み付け作業が容易となり、シール性能のばらつきは改善できる。しかし、上記特許文献２では、３つ以上の外装部材を組み付ける場合に、分割された突条部と突条部との間に隙間が発生しやすく、３つ以上の外装部材の合わせ部から水等が浸入する等の問題がある。
【０００７】
そこで、本発明は、機器本体の外装を３つ以上の外装部材で形成する場合に、３つ以上の外装部材の組み付け作業の容易化を図るとともに、３つ以上の外装部材の合わせ部のシール性能を高める仕組みを提供することを目的とする。
【課題を解決するための手段】
【０００８】
上記目的を達成するために、本発明の電子機器は、機器本体の外装を３つ以上の外装部材で形成する電子機器であって、第１のシール部を有する第１の外装部材と、第２のシール部を有するとともに、前記第１の外装部材の前記第１のシール部が当接する第１の当接面を有する第２の外装部材と、前記第１の外装部材の前記第１のシール部が当接する第２の当接面を有するとともに、前記第２の外装部材の前記第２のシール部が当接する第３の当接面を有する第３の外装部材と、を備え、前記第１の外装部材、前記第２の外装部材、及び前記第３の外装部材の合わせ部において、前記第１の外装部材の前記第１のシール部と前記第２の外装部材の前記第２のシール部との間には、隙間が形成され、前記第２の外装部材と前記第３の外装部材との間には、前記隙間を密閉する凹凸嵌合部が設けられることを特徴とする。
【発明の効果】
【０００９】
本発明によれば、機器本体の外装を３つ以上の外装部材で形成する場合に、３つ以上の外装部材の組み付け作業の容易化を図ることができるとともに、３つ以上の外装部材の合わせ部のシール性能を高めることができる。
【図面の簡単な説明】
【００１０】
【図１】（ａ）は本発明の電子機器の実施形態の一例であるデジタル一眼レフカメラのカメラ本体を正面側（被写体側）から見た斜視図、（ｂ）は（ａ）に示すカメラ本体を背面側から見た斜視図である。
【図２】カメラ本体の分解斜視図である。
【図３】図２を背面側から見た分解斜視図である。
【図４】（ａ）は左側カバーを本体フレームに組み付ける前の状態を示す要部断面図、（ｂ）は左側カバーを本体フレームに組み付けた後の状態を示す要部断面図である。
【図５】正面カバーと左側カバーと底面カバーとの合わせ部、及び背面カバーと左側カバーと底面カバーとの合わせ部を示す図である。
【図６】（ａ）は底面カバーに正面カバー及び左側カバーを組み付ける前の状態を示す斜視図、（ｂ）は底面カバーに正面カバー及び左側カバーを組み付けた後の状態を示す斜視図である。
【図７】（ａ）は底面カバーに背面カバー及び左側カバーを組み付ける前の状態を示す斜視図、（ｂ）は底面カバーに背面カバー及び左側カバーを組み付けた後の状態を示す斜視図である。
【図８】底面カバーに正面カバー及び背面カバーを組み付けた状態の要部断面図である。
【発明を実施するための形態】
【００１１】
以下、本発明の実施形態の一例を図面を参照して説明する。
【００１２】
図１（ａ）は本発明の電子機器の実施形態の一例であるデジタル一眼レフカメラのカメラ本体を正面側（被写体側）から見た斜視図、図１（ｂ）は図１（ａ）に示すカメラ本体を背面側から見た斜視図である。
【００１３】
本実施形態のデジタル一眼レフカメラは、図１（ａ）及び図１（ｂ）に示すように、カメラ本体１００の正面側の略中央にレンズマウント１０２ が設けられ、レンズマウント１０２には、交換式のレンズ鏡筒（不図示）が着脱可能に装着される。カメラ本体１００の上面側には、電源スイッチ１０７、モードダイヤル１０８、電子ダイヤル１０５、ＩＳＯ感度設定ボタン１０６及びレリーズボタン１０４等が設けられ、カメラ本体１００の背面側には、再生ボタン１０９及び表示装置１１０等が設けられる。ここで、カメラ本体１００は、本発明の機器本体の一例に相当する。
【００１４】
図２は、カメラ本体１００の分解斜視図である。図３は、図２を背面側から見た分解斜視図である。
【００１５】
本実施形態では、カメラ本体１００の外装を３つ以上の外装部材で形成している。具体的には、図２及び図３に示すように、正面カバー３００、上面カバー３０１、背面カバー３０２、右側カバー３０３、左側カバー３０４、及び底面カバー３０５の６つ外装部材によりカメラ本体１００の外装を形成している。また、組み付けに際しては、本体フレーム４００に対して、右側カバー３０３、底面カバー３０５、上面カバー３０１、正面カバー３００、背面カバー３０２、及び左側カバー３０４の順に組み付けられる。なお、本実施形態では、カメラ本体１００を背面側（撮影者側）から見た場合の左側カバー３０４及び右側カバー３０３とする。
【００１６】
正面カバー３００、上面カバー３０１、及び背面カバー３０２は、マグネシウム合金等で成形されている。右側カバー３０３は、合成樹脂等で成形され、上面カバー３０１との合わせ部近傍、及び背面カバー３０２との合わせ部近傍にエラストマー等の弾性を有するＬ字状のシール部３０３ａが一体に成形されている。
【００１７】
左側カバー３０４は、合成樹脂等で成形される。左側カバー３０４には、正面カバー３００との合わせ部近傍、上面カバー３０１との合わせ部近傍、背面カバー３０２との合わせ部近傍、及び底面カバー３０５との合わせ部近傍にそれぞれエラストマー等の弾性を有するシール部３０４ａが一体に成形されている。シール部３０４ａは第１のシール部として機能する。
【００１８】
底面カバー３０５は、合成樹脂等で成形される。底面カバー３０５には、正面カバー３００との合わせ部近傍にエラストマー等の弾性を有するシール部３０５ａが一体に成形され、また、背面カバー３０２との合わせ部近傍にエラストマー等の弾性を有するシール部３０５ｂが一体に成形されている。シール部３０５ａは第２のシール部として機能する。
【００１９】
正面カバー３００には、左側カバー３０４のシール部３０４ａに対向する位置に当接面３００ａ２が設けられ、底面カバー３０５のシール部３０５ａに対向する位置に当接面３００ｂ２が設けられている。当接面３００ａ２は第２の当接面として機能する。当接面３００ｂ２は第３の当接面として機能する。正面カバー３００には、上面カバー３０１に貼り付けられた後述するシール部材２０１に対向する位置に当接面３００ｃ２が設けられている。
【００２０】
上面カバー３０１には、右側カバー３０３のシール部３０３ａに対向する位置に当接面３０１ａ２が設けられ、左側カバー３０４のシール部３０４ａに対向する位置に当接面３０１ｂ２が設けられている。また、上面カバー３０１には、正面カバー３００との合わせ部近傍にシール部材２０１が貼り付けられ、背面カバー３０２との合わせ部近傍にシール部材２０２が貼り付けられている。なお、上面カバー３０１を合成樹脂製として、シール部材２０１，２０２に代えて、エラストマー等の弾性を有するシール部を一体に成形してもよい。
【００２１】
背面カバー３０２には、右側カバー３０３のシール部３０３ａに対向する位置に当接面３０２ａ２が設けられ、左側カバー３０４のシール部３０４ａに対向する位置に当接面３０２ｂ２が設けられている。また、背面カバー３０２には、底面カバー３０５のシール部３０５ｂに対向する位置に当接面３０２ｃ２が設けられ、上面カバー３０１に貼り付けられたシール部材２０２に対向する位置に当接面３０２ｄ２が設けられている。
【００２２】
底面カバー３０５には、左側カバー３０４のシール部３０４ａに対向する位置に当接面３０５ｃ２が設けられている。当接面３０５ｃ２は第１の当接面として機能する。
【００２３】
図４（ａ）は左側カバー３０４を本体フレーム４００に組み付ける前の状態を示す要部断面図、図４（ｂ）は左側カバー３０４を本体フレーム４００に組み付けた後の状態を示す要部断面図である。
【００２４】
図４（ａ）に示すように、左側カバー３０４に一体に成形されたシール部３０４ａは、正面カバー３００側、及び背面カバー３０２側にそれぞれ傾斜面３０４ａ２を有する。正面カバー３００には、シール部３０４ａの傾斜面３０４ａ２に対向する位置に当接面３００ａ２が設けられている。また、背面カバー３０２には、シール部３０４ａの傾斜面３０４ａ２に対向する位置に当接面３０２ｂ２が設けられている。
【００２５】
図４（ｂ）に示すように、左側カバー３０４を本体フレーム４００に組み付けた後の状態では、シール部３０４ａの傾斜面３０４ａ２は、正面カバー３００の当接面３００ａ２及び背面カバーの当接面３０２ｂ２にそれぞれ当接する。これにより、シール部３０４ａが弾性変形して、正面カバー３００と左側カバー３０４の合わせ部５００に生じる隙間、及び背面カバー３０２と左側カバー３０４との合わせ部６００に生じる隙間が塞がれてシールされる。
【００２６】
ここで、正面カバー３００の当接面３００ａ２は、左側カバー３０４が本体フレーム４００に組み付けられてシール部３０４ａが押圧される方向に対して、約４５°の角度をなすように形成されている。これにより、シール部３０４ａが弾性変形することにより生じる反発力が、シール部３０４ａの押圧方向と逆方向だけでなく、正面カバー３００と背面カバー３０２の方向にも分散されて力が釣り合うことになる。この結果、正面カバー３００と左側カバー３０４の合わせ部５００に生じる隙間、及び背面カバー３０２と左側カバー３０４との合わせ部６００に生じる隙間が均一に保たれ、左側カバー３０４の浮きも軽減される。
【００２７】
なお、左側カバー３０４のシール部３０４ａと当接面３０１ｂ２，３０５ｃ２との関係、及び右側カバー３０３のシール部３０３ａと当接面３０１ａ２，３０２ａ２との関係についても、上記同様である。また、底面カバー３０５のシール部３０５ａと当接面３００ｂ２との関係、及び底面カバー３０５のシール部３０５ｂと当接面３０２ｃ２との関係についても、上記同様である。更に、上面カバー３０１に貼り付けられたシール部材２０１，２０２と当接面３００ｃ２，３０２ｄ２との関係についても、上記同様である。
【００２８】
図５は、正面カバー３００と左側カバー３０４と底面カバー３０５との合わせ部８００、及び背面カバー３０２と左側カバー３０４と底面カバー３０５との合わせ部９００を示す図である。
【００２９】
図６（ａ）は底面カバー３０５に正面カバー３００及び左側カバー３０４を組み付ける前の状態を示す斜視図、図６（ｂ）は底面カバー３０５に正面カバー３００及び左側カバー３０４を組み付けた後の状態を示す斜視図である。図７（ａ）は底面カバー３０５に背面カバー３０２及び左側カバー３０４を組み付ける前の状態を示す斜視図、図７（ｂ）は底面カバー３０５に背面カバー３０２及び左側カバー３０４を組み付けた後の状態を示す斜視図である。図８は、底面カバー３０５に正面カバー３００及び背面カバー３０２を組み付けた状態の要部断面図である。
【００３０】
図６及び図７に示すように、左側カバー３０４のシール部３０４ａは、正面カバー３００の当接面３００ａ２、背面カバー３０２の当接面３０２ｂ２、及び底面カバー３０５の当接面３０５ｃ２にそれぞれ当接する。また、底面カバー３０５のシール部３０５ａは、正面カバーの当接面３００ｂ２に当接し、底面カバー３０５のシール部３０５ｂは、背面カバーの当接面３０２ｃ２に当接する。
【００３１】
ここで、左側カバー３０４のシール部３０４ａは、左側カバー３０４の成形時の離形方向が高さ方向になるように成形されている。また、シール部３０４ａの成形時のバリの発生を抑制するために、シール部３０４ａは、図４に示すように左側カバー３０４の端部からの距離Ｘが例えば０．５ｍｍ以上内側になる位置に配置される。
【００３２】
また、底面カバー３０５のシール部３０５ａ及び３０５ｂは、正面カバー３００及び背面カバー３０２の方向が高さ方向となるように成形されている。また、図８に示すようにシール部３０５ａ及び３０５ｂの成形時のバリの発生を抑制するため、シール部３０５ａ及び３０５ｂは、底面カバー３０５の端部からの距離Ｙが例えば０．５ｍｍ以上内側になる位置に配置される。したがって、図６に示すシール部３０４ａとシール部３０５ａとの間、及び図７に示すシール部３０４ａとシール部３０５ｂとの間には、それぞれ隙間が発生する。
【００３３】
図６に示すように、正面カバー３００の当接面３００ａ２の底面カバー３０５との合わせ部近傍には、底面カバー３０５に向けて延びる凸部３００ａ３が設けられている。底面カバー３０５には、凸部３００ａ３が下面３００ａ４側から嵌め込まれる凹部３０５ａ３が正面カバー３００に向けて延設されている。凹部３０５ａ３には、凸部３００ａ３の先端面３００ａ５が当接する壁部３０５ｂ３と、凸部３００ａ３の内側面３００ａ６が当接する壁部３０５ｃ３とが設けられている。
【００３４】
正面カバー３００と左側カバー３０４と底面カバー３０５とが本体フレーム４００に組み付けられた状態において、凸部３００ａ３は、壁部３０５ｂ３，３０５ｃ３に当接した状態で凹部３０５ａ３に嵌め込まれる。これにより、シール部３０４ａとシール部３０５ａとの間の隙間が密閉される。ここで、左側カバー３０４は、本発明の第１の外装部材の一例に相当し、底面カバー３０５は、本発明の第２の外装部材の一例に相当し、正面カバー３００は、本発明の第３の外装部材の一例に相当する。
【００３５】
また、図７に示すように、背面カバー３０２の当接面３０２ｂ２の底面カバー３０５との合わせ部近傍には、底面カバー３０５に向けて延びる凸部３０２ｂ３が設けられている。底面カバー３０５には、凸部３０２ｂ３が下面３０２ｂ４側から嵌め込まれる凹部３０５ｄ３が背面カバー３０２に向けて延設されている。凹部３０５ｄ３には、凸部３０２ｂ３の先端３０２ｂ５が当接する壁部３０５ｅ３と、凸部３０２ｂ３の内側面３０２ｂ６が当接する壁部３０５ｆ３とが設けられている。
【００３６】
背面カバー３０２と左側カバー３０４と底面カバー３０５とが本体フレーム４００に組み付けられた状態において、凸部３０２ｂ３は、壁部３０５ｅ３，３０５ｆ３に当接した状態で凹部３０５ｄ３に嵌め込まれる。これにより、シール部３０４ａとシール部３０５ｂとの間の隙間が密閉される。
【００３７】
以上説明したように、本実施形態では、左側カバー３０４のシール部３０４ａと底面カバー３０５のシール部３０５ａとの間の隙間を正面カバー３００の凸部３００ａ３と底面カバー３０５の凹部３０５ａ３との凹凸嵌合部により密閉している。また、左側カバー３０４のシール部３０４ａと底面カバー３０５のシール部３０５ｂとの間の隙間を背面カバー３０２の凸部３０２ａ３と底面カバー３０５の凹部３０５ｄ３との凹凸嵌合部により密閉している。
【００３８】
これにより、外装カバー３００，３０２，３０４，３０５の組み付け作業の容易化を図ることができるとともに、外装カバー３００，３０４，３０５の合わせ部８００及び外装カバー３０２，３０４，３０５の合わせ部９００のシール性能を高めることができる。
【００３９】
なお、本発明の構成は、上記実施形態に例示したものに限定されるものではなく、材質、形状、寸法、形態、数、配置箇所等は、本発明の要旨を逸脱しない範囲において適宜変更可能である。
【００４０】
例えば、上記実施形態では、シール部３０３ａ，３０４ａ，３０５ａ，３０５ｂを弾性を有するエラストマーで形成した場合を例示したが、これに代えて、弾性を有するシリコンゴム等の他の材料であってもよい。
【符号の説明】
【００４１】
１００  カメラ本体
３００  正面カバー
３００ａ２  当接面
３００ｂ２  当接面
３０１  上面カバー
３０２  背面カバー
３０３  右面カバー
３０３ａ  シール部
３０４  左面カバー
３０４ａ  シール部
３０５  底面カバー
３０５ａ  シール部
３０５ｂ    シール部
３０５ｃ２  当接面
４００  本体フレーム
３００ａ３，３０２ａ３  凸部
３０５ａ３，３０５ｄ３  凹部
【図４】
2015082073.tif 000003
【図５】
2015082073.tif 000004
【図６】
2015082073.tif 000005
【図７】
2015082073.tif 000006
【図８】
2015082073.tif 000007
【図１】
2015082073.tif 000008
【図２】
2015082073.tif 000009
【図３】
2015082073.tif 000010